(57)【要約】  【課題】  所望の番組のシーン単位に前以って視聴予約ができ、所望の番組シーンが近づくと、段階的に通知する方法を提供することで、所望の番組シーンを見逃さなくすることを目的とする。  【解決手段】  受信したＴＳをフィルタリングするＴＳデコード部と、前記ＴＳデコード部でフィルタリングされたセクションを番組シーン情報に関するセクションと、アプリデータに関するセクションに分離し、登録するセクション解析部と、前記アプリケーションプログラムを起動制御するアプリ起動部と、前記アプリケーションプログラムは視聴者が入力したシーンを特定する情報を受け付ける操作受付部と、番組シーン情報をタイマリストに変換するモニタ部と、シーンの接近通知メッセージをディスプレイに表示する指示を送る通知部と、シーンの接近通知メッセージを表示するアプリ表示部を備える。【選択図】  図１
2005323090.tif 000002
【特許請求の範囲】
【請求項１】
番組のシーンに対応してシーンを特定する情報が重畳されたＴｒａｎｓｐｏｒｔ  Ｓｔｒｅａｍ（以下、ＴＳと記載）を受信するデジタル放送受信装置において、
受信したＴＳをフィルタリングするＴＳデコード部と、
前記ＴＳデコード部でフィルタリングされたセクションを番組シーン情報に関するセクションと、アプリデータに関するセクションに分離し、番組シーン情報のセクションは番組シーン情報テーブルに変換し、番組シーン情報記憶部に登録し、
アプリデータに関するセクションはアプリケーションプログラムに変換してアプリデータ記憶部に登録するセクション解析部と、
前記アプリケーションプログラムを起動制御するアプリ起動部と、
前記アプリ起動部で起動されたアプリケーションプログラムは視聴者が入力したシーンを特定する情報を受け付ける操作受付部と、
前記受け付けたシーンを特定する情報と前記番組シーン情報記憶部に登録されている番組シーン情報を比較して、一致する前記番組シーン情報をタイマリストに変換するモニタ部と、
前記タイマリストのタイマ起動時間を監視し、タイマ起動時間に達するとシーンの接近通知メッセージをディスプレイに表示する指示を送る通知部と、
前記指示を受けて、シーンの接近通知メッセージを表示するアプリ表示部を備えたことを特徴とするデジタル放送受信装置。
【請求項２】
前記番組シーン情報テーブルは該シーンを含む番組を特定する番組ＩＤと、シーンを特定する番組シーンＩＤと、シーンに関連するキーワードと、番組の先頭からの時間を含むことを特徴とする請求項１記載のデジタル放送受信装置。
【請求項３】
前記シーンを特定する情報にはシーンの通知タイミングを特定する情報も含むことを特徴とする請求項１記載のデジタル放送受信装置。
【請求項４】
前記通知タイミング情報は番組の開始を段階的に通知するタイミング、又はシーンの開始を段階的に通知するタイミングであることを特徴とする請求項３記載のデジタル放送受信装置。
【請求項５】
前記タイマリストはシーンを含む番組を特定する番組ＩＤと、シーンの接近を通知するタイミングを特定するタイマ起動時間と、シーンの内容を特定するキーワードと、通知タイミングとシーン開始の関係を特定する通知時間を含むことを特徴とする請求項１記載のデジタル放送受信装置。
【請求項６】
前記タイマリストのタイマ起動時間は番組の時間変更がある場合は、動的に書き換えることを特徴とする請求項５記載のデジタル放送受信装置。
【請求項７】
前記シーンの接近通知メッセージをトリガに、前記シーンを放送する番組にチャンネルを切り替えた場合、該放送を表示すると同時にＣＭも併せて表示することを特徴とする請求項１記載のデジタル放送受信装置。
【請求項８】
Ｔｒａｎｓｐｏｒｔ  Ｓｔｒｅａｍ（以下、ＴＳと記載）を送信するデジタル放送送信装置において、
番組毎に任意のシーンにおけるシーン特定情報をＳｅｒｖｉｃｅ  Ｉｎｆｏｒｍａｔｉｏｎ（以下、ＳＩと記載）に登録するＳＩ情報生成部と、
前記シーン特定情報を利用して端末側でシーンの特定に関する処理を行うアプリケーションプログラムを重畳することを特徴とするデジタル放送送信装置。
【請求項９】
前記シーン特定情報は、シーンを含む番組を特定する番組ＩＤと、シーンの内容を特定するキーワードと、番組開始してシーンが始まるまでの時間（相対時間）であることを特徴とする請求項８記載のデジタル放送送信装置。
【請求項１０】
番組のシーンに対応してシーンを特定する情報が重畳されたＴｒａｎｓｐｏｒｔ  Ｓｔｒｅａｍ（以下、ＴＳと記載）を受信するデジタル放送受信方法において、
受信したＴＳをフィルタリングするＴＳデコードステップと、
前記ＴＳデコードステップでフィルタリングされたセクションを番組シーン情報に関するセクションと、アプリデータに関するセクションに分離し、番組シーン情報のセクションは番組シーン情報テーブルに変換し、番組シーン情報記憶領域に登録し、
アプリデータに関するセクションはアプリケーションプログラムに変換してアプリデータ記憶領域に登録するセクション解析ステップと、
前記アプリケーションプログラムを起動制御するアプリ起動ステップと、
前記アプリ起動ステップで起動されたアプリケーションプログラムは視聴者が入力したシーンを特定する情報を受け付ける操作受付ステップと、
前記受け付けたシーンを特定する情報と前記番組シーン情報記憶領域に登録されている番組シーン情報を比較して、一致する前記番組シーン情報をタイマリストに変換するモニタステップと、
前記タイマリストのタイマ起動時間を監視し、タイマ起動時間に達するとシーンの接近通知メッセージをディスプレイに表示する指示を送る通知ステップと、
前記指示を受けて、シーンの接近通知メッセージを表示するアプリ表示ステップを備えたことを特徴とするデジタル放送受信方法。
【請求項１１】
番組のシーンに対応してシーンを特定する情報が重畳されたＴｒａｎｓｐｏｒｔ  Ｓｔｒｅａｍ（以下、ＴＳと記載）を受信するデジタル放送受信方法を実行するプログラムにおいて、
受信したＴＳをフィルタリングするＴＳデコードステップと、
前記ＴＳデコードステップでフィルタリングされたセクションを番組シーン情報に関するセクションと、アプリデータに関するセクションに分離し、番組シーン情報のセクションは番組シーン情報テーブルに変換し、番組シーン情報記憶領域に登録し、
アプリデータに関するセクションはアプリケーションプログラムに変換してアプリデータ記憶領域に登録するセクション解析ステップと、
前記アプリケーションプログラムを起動制御するアプリ起動ステップと、
前記アプリ起動ステップで起動されたアプリケーションプログラムは視聴者が入力したシーンを特定する情報を受け付ける操作受付ステップと、
前記受け付けたシーンを特定する情報と前記番組シーン情報記憶領域に登録されている番組シーン情報を比較して、一致する前記番組シーン情報をタイマリストに変換するモニタステップと、
前記タイマリストのタイマ起動時間を監視し、タイマ起動時間に達するとシーンの接近通知メッセージをディスプレイに表示する指示を送る通知ステップと、
前記指示を受けて、シーンの接近通知メッセージを表示するアプリ表示ステップを備えたことを特徴とするデジタル放送受信方法を実行するプログラム。
【発明の詳細な説明】
【技術分野】
【０００１】
本発明は、テレビ受信装置で視聴中の番組の視聴方法に係わり、特に、登録しておいた視聴したい番組シーンが近づくと知らせてくれる放送波に含まれる、Platform非依存のアプリケーションを実行可能なデジタル放送受信装置に関する。
【背景技術】
【０００２】
従来、テレビ受信装置での番組の視聴では、番組のあるシーンのみを見たい場合(以下、所望の番組シーン)、視聴者は、その番組のほかのシーンを見る必要がないため、他チャンネルの番組を視聴したりするなど、ザッピングをしていた。そして、所望の番組のシーンが始まるころに、チャンネルを戻すようにしていた。
また、所望の番組シーンを検知する方法として、放送に重畳された文字データ（テロップ）などを自動認識し、見たいシーンとして判定することが、特許文献１にも開示されている。
【特許文献１】特開平１０−１９１１９０号公報
【発明の開示】
【発明が解決しようとする課題】
【０００３】
しかしながら、この方法では、所望の番組のシーンが始まる時間がいつもの時間帯と異なっていたり、ザッピング先の番組が面白かった場合などに、所望の番組シーンを見逃すケースがあった。
【０００４】
本発明は、上記の点に鑑みてなされたもので、所望の番組のシーン単位に前以って視聴予約ができ、所望の番組シーンが近づくと、段階的に通知する方法を提供することで、所望の番組シーンを見逃さなくすることを目的とする。
【課題を解決するための手段】
【０００５】
前記従来の課題を解決するために、請求項１の発明のデジタル放送受信装置は、受信したＴＳをフィルタリングするＴＳデコード部と、前記ＴＳデコード部でフィルタリングされたセクションを番組シーン情報に関するセクションと、アプリデータに関するセクションに分離し、番組シーン情報のセクションは番組シーン情報テーブルに変換し、番組シーン情報記憶部に登録し、アプリデータに関するセクションはアプリケーションプログラムに変換してアプリデータ記憶部に登録するセクション解析部と、前記アプリケーションプログラムを起動制御するアプリ起動部と、前記アプリ起動部で起動されたアプリケーションプログラムは視聴者が入力したシーンを特定する情報を受け付ける操作受付部と、前記受け付けたシーンを特定する情報と前記番組シーン情報記憶部に登録されている番組シーン情報を比較して、一致する前記番組シーン情報をタイマリストに変換するモニタ部と、前記タイマリストのタイマ起動時間を監視し、タイマ起動時間に達するとシーンの接近通知メッセージをディスプレイに表示する指示を送る通知部と、前記指示を受けて、シーンの接近通知メッセージを表示するアプリ表示部を備える。
【０００６】
また、請求項２の発明のデジタル放送受信装置は、前記番組シーン情報テーブルは該シーンを含む番組を特定する番組ＩＤと、シーンを特定する番組シーンＩＤと、シーンに関連するキーワードと、番組の先頭からの時間を含むことを特徴とする。
【０００７】
また、請求項３の発明のデジタル放送受信装置は、前記シーンを特定する情報にはシーンの通知タイミングを特定する情報も含むことを特徴とする。
【０００８】
また、請求項４の発明のデジタル放送受信装置の通知タイミング情報は番組の開始を段階的に通知するタイミング、又はシーンの開始を段階的に通知するタイミングである。
【０００９】
また、請求項５の発明のデジタル放送受信装置は、前記タイマリストはシーンを含む番組を特定する番組ＩＤと、シーンの接近を通知するタイミングを特定するタイマ起動時間と、シーンの内容を特定するキーワードと、通知タイミングとシーン開始の関係を特定する通知時間を含むことを特徴とする。
【００１０】
また、請求項６の発明のデジタル放送受信装置のタイマリストのタイマ起動時間は番組の時間変更がある場合は、動的に書き換える。
【００１１】
また、請求項７の発明のデジタル放送受信装置は、シーンの接近通知メッセージをトリガに、前記シーンを放送する番組にチャンネルを切り替えた場合、該放送を表示すると同時にＣＭも併せて表示する。
【００１２】
また、請求項８の発明のデジタル放送送信装置は、番組毎に任意のシーンにおけるシーン特定情報をＳＩに登録するＳＩ情報生成部と、前記シーン特定情報を利用して端末側でシーンの特定に関する処理を行うアプリケーションプログラムを重畳する。
【００１３】
また、請求項９の発明のデジタル放送送信装置は、前記シーン特定情報は、シーンを含む番組を特定する番組ＩＤと、シーンの内容を特定するキーワードと、番組開始してシーンが始まるまでの時間（相対時間）であることを特徴とする。
【００１４】
また、請求項１０の発明のデジタル放送受信方法は、受信したＴＳをフィルタリングするＴＳデコードステップと、前記ＴＳデコードステップでフィルタリングされたセクションを番組シーン情報に関するセクションと、アプリデータに関するセクションに分離し、番組シーン情報のセクションは番組シーン情報テーブルに変換し、番組シーン情報記憶領域に登録し、アプリデータに関するセクションはアプリケーションプログラムに変換してアプリデータ記憶領域に登録するセクション解析ステップと、前記アプリケーションプログラムを起動制御するアプリ起動ステップと、前記アプリ起動ステップで起動されたアプリケーションプログラムは視聴者が入力したシーンを特定する情報を受け付ける操作受付ステップと、前記受け付けたシーンを特定する情報と前記番組シーン情報記憶領域に登録されている番組シーン情報を比較して、一致する前記番組シーン情報をタイマリストに変換するモニタステップと、前記タイマリストのタイマ起動時間を監視し、タイマ起動時間に達するとシーンの接近通知メッセージをディスプレイに表示する指示を送る通知ステップと、前記指示を受けて、シーンの接近通知メッセージを表示するアプリ表示ステップを備えたことを特徴とする。
【００１５】
また、請求項１１の発明のデジタル放送受信方法を実行するプログラムは、受信したＴＳをフィルタリングするＴＳデコードステップと、前記ＴＳデコードステップでフィルタリングされたセクションを番組シーン情報に関するセクションと、アプリデータに関するセクションに分離し、番組シーン情報のセクションは番組シーン情報テーブルに変換し、番組シーン情報記憶領域に登録し、アプリデータに関するセクションはアプリケーションプログラムに変換してアプリデータ記憶領域に登録するセクション解析ステップと、前記アプリケーションプログラムを起動制御するアプリ起動ステップと、前記アプリ起動ステップで起動されたアプリケーションプログラムは視聴者が入力したシーンを特定する情報を受け付ける操作受付ステップと、前記受け付けたシーンを特定する情報と前記番組シーン情報記憶領域に登録されている番組シーン情報を比較して、一致する前記番組シーン情報をタイマリストに変換するモニタステップと、前記タイマリストのタイマ起動時間を監視し、タイマ起動時間に達するとシーンの接近通知メッセージをディスプレイに表示する指示を送る通知ステップと、前記指示を受けて、シーンの接近通知メッセージを表示するアプリ表示ステップを備えたことを特徴とする。
【発明の効果】
【００１６】
以上のように、本発明によれば、視聴者が設定したシーンの放送が始まると、別の番組を視聴中であっても通知してくれるため、見たいシーンを確実に視聴することが可能となる。
【００１７】
また、本発明によれば、視聴者が設定したシーンをシーン開始１０分前、５分前、１分前と段階を追って通知してくれるので、さらに、見たいシーンを確実に視聴することが可能となる。
【００１８】
また、本発明によれば、視聴者が設定したシーンを含む番組の放送以前に放送される番組の放送時間が変更されても、シーンの放送時間も併せて変更されるので、さらに、見たいシーンを確実に視聴することが可能となる。
【００１９】
また、本発明によれば、視聴者がシーンの開始通知により該当番組にチャンネル変更すると、該当放送の表示に併せてＣＭを表示することで、視聴者がシーンを特定して視聴することによって生ずるスポンサーの不利益を解消することが可能となる。
【００２０】
また、本発明によれば、番組毎にシーンを特定する情報と、シーンの登録と接近を監視するアプリケーションプログラムをＴＳに重畳して送信することで、受信機側でシーンを特定するサービスを提供可能とする。
【発明を実施するための最良の形態】
【００２１】
（実施の形態１）
次に添付図面を参照して本発明による所望の番組シーンを登録し、通知する方法の実施の形態を詳細に説明する。
本発明による番組シーンに関するあらゆる情報（以後、番組シーン情報）と、番組シーン情報を解析し、視聴者に提示し、番組のシーンを登録して、所望の番組シーンの時間を通知するPlatform非依存アプリケーション（以後、単にアプリと記述した場合は、これを指す）を放送局より受信装置にむけて送信する。受信装置では、この番組シーン情報をアプリで解析し、表示し、視聴者の操作により登録することで、所望の番組シーンを通知する。
【００２２】
上記を実現するための構成方法の一つとして、図１、図２に示す。
図１のデジタル放送受信装置１００は、アンテナから受信したデジタル信号を復調する本放送を視聴するためのチューナー１０１と、入力されたＴｒａｎｓｐｏｒｔ  Ｓｔｒｅａｍ（以下、ＴＳと記載。）をデコードするＴＳデコード部１０２と、ＴＳデコード部１０２でデコードされた映像データと音声データを同期をとりながら復号し、ディスプレイやスピーカーに出力するＡＶデコード部１０３と、ＴＳデコード部１０２でデコードされたセクションデータを、番組情報に関するセクションと、アプリデータに関するセクションと、番組シーン情報に関するセクションとに分離し、番組情報のセクションの場合は番組情報テーブルに変換して内容を解析して番組情報として保存し、番組シーン情報の場合は番組シーン情報記憶部１０６に記憶し、アプリデータに関するセクションの場合はアプリのプログラムに変換し、そのプログラムをアプリデータ記憶部１０５に記憶するＳｅｃｔｉｏｎ解析部１０４と、リモートコントローラ等による視聴者からの操作を受け付ける操作受付部１０８と、操作受付部からの指示を受け、アプリの起動を制御するアプリ起動部１１０と、アプリ起動部１１０などを含みアプリの起動、実行、終了を制御するアプリ実行環境１１１と、最小構成のアプリとして、視聴者が所望するシーンのキーワードを入力／選択するキーワード選択部１１２と、番組シーン情報のデータを参照する番組シーン情報参照部１１３と、登録されたキーワードから所望のシーンや番組が開始される時刻などを監視するモニタ部１１４と、登録したタイマの情報を記憶するタイマリスト１１６において、所定の時間になったら起動し、所望のシーンが開始されることをディスプレイに表示するよう指示を出す通知部１１５とからなるアプリと、起動したアプリをディスプレイに表示するアプリ表示部１０７と、からなっている。
【００２３】
図２のアプリ構成図は、図１のＡｐｐ１についての詳細を示す図である。本アプリは、番組のある特定のシーンを監視するために、そのシーンにキーワードとして名前を付け、そのシーンが開始する時間情報とを組みにして、番組シーン情報とし、ＴＳパケットに重畳している放送において、番組シーンの開始時間を通知するためのアプリの構成図を示している。
大きく分けて、番組シーン情報参照部、キーワード選択/入力部とモニタ部と通知タイマ部からなっている。
【００２４】
番組シーン情報参照部は、番組シーン情報記憶部１０６に記憶されている番組シーン情報から、視聴者が視聴したいと所望する番組のあるシーンに関連付けられたキーワードやシーン開始の時間情報などを取り出すために番組シーン情報を解析する番組シーン情報解析部２１３と、番組シーン情報解析部２１３から指定された時間帯などのシーン特定キーワードのみを取得するシーン特定キーワード取得部２１４と、視聴者が視聴したいと所望する番組のあるコーナーに関連付けられたキーワードに対応するシーンの開始時刻を決定する時間情報を取得するシーン特定時間情報取得部２１５とからなる。
【００２５】
また、キーワード選択/入力部は、リモートコントローラ等による視聴者からの入力を受け付ける入力受付部２０５と、シーン特定キーワード取得部２１４より取得したシーン特定キーワードについて、番組毎に整理して表示するキーワード表示部２０６と、キーワード表示部２０６により表示されたキーワードについて入力受付部２０５によりカーソルを移動し、決定ボタンを押すことにより選択されたキーワードや、ＧＵＩキーボードなどによりユーザが任意に指定したキーワードについて、シーン特定キーワードとして登録するキーワード登録部２０７とからなる。
【００２６】
また、モニタ部は、ユーザが任意で登録したキーワードと、シーン特定キーワード取得部２１４から取得されたキーワードを比較し、一致するものが見つかれば、タイマ登録部に通知するキーワード比較部２０８と、キーワード登録部２０７にて登録されたキーワードやキーワード比較部２０８から通知されたキーワードについて、シーン特定時間情報取得部２１５からキーワードに対するシーン開始の時間情報を取得し、所定の時間に視聴者にシーン開始時間の通知を行うタイマを登録するタイマ登録部２０９と、延長の可能性のある番組の後の番組について、タイマを登録している場合、該当する番組が正規の時間にて開始されているかをＥＰＧデータにより監視し、開始時刻がずれた場合は、番組が開始される時刻に合わせて、登録済みのタイマを再登録する番組モニタ部２１０と、指定された時刻になると、登録されている通知タイマを起動するタイマ起動部２１２とからなる。
【００２７】
また、通知タイマ部は、視聴者に対する通知メッセージを作成する表示データ作成部２１６と、表示データ作成部２１６にて作成されたメッセージをアプリ表示部１０７へ転送する通知部２１７と、から成る。
【００２８】
次に、番組配列情報（ＳＩ）について、図３を使用して説明する。図３は、番組シーン情報をMPEG2-SYSTEMのLocal Event Information Table（LIT）という情報テーブルに含む場合の図である。
番組配列情報３０１は、MPEG2−SYSTEMで標準化された伝送制御信号のことであり、タイムスケジュール情報や、有料放送のための詳細な情報、他のネットワークや他のストリームに関する情報など運用上に必要な情報がある。
番組シーン情報３０７は、番組中のシーンを特定するデータをまとめたテーブルであり、次の項目から構成される。特定の番組を識別するための番組ＩＤ３０８と、番組中のあるシーンを表す端的なキーワード３０９と、番組中のあるシーンが現れる時間を表す番組開始からの相対時間３１０と、からなる。
また、番組（イベント）の名称や解説、放送予定時間などを伝送するＥｖｅｎｔ  Ｉｎｆｏｒｍａｔｉｏｎ  Ｔａｂｌｅ（ＥＩＴ）などのデータにより、ＥＰＧサービスなどが提供できる。
また、番組シーン情報をとり扱うアプリは、番組情報テーブル（ＰＭＴ）３１１のアプリ情報テーブルに含まれている。
【００２９】
図４は、番組シーン情報４０６をＥＩＴに含めた場合の図である。ＥＩＴのdescriptor()４０５に番組シーン情報４０６を埋め込んでる。番組シーン情報４０６の各項目については、図３と同様であるため、省略する。ただし、ＥＩＴは、ＥＰＧ用のデータを含むなど、全放送局に関する情報を含む必要がある。また、番組シーン情報をとり扱うアプリは、番組情報テーブル（ＰＭＴ）４１０のアプリ情報テーブル４１１に含まれている。
【００３０】
次に、ある番組における番組シーン情報がどのように関係しているかを図５において示す。
番組シーン５０３、５０４、５０５に対して、それぞれ、番組シーン情報５０６、５０７、５０８が用意される。これらは、放送局の番組編成者が番組シーン情報を手動で作成してもよいし、例えば、字幕データを事前に解析することで、そのシーンを特定して、番組シーン情報を作成したものでもよい。これらの番組シーン情報は、前以って送信する必要があるが、ＥＰＧデータなどと共に１乃至２週間前から送信してもよいし、番組を放送する当日などに送信してもよい。
図６では、上記のように設定されている番組シーン情報を番組シーン情報の記憶部１０６で管理するテーブルを表している。管理テーブルでは、各番組シーン情報にＩＤを付加している。
【００３１】
図７に、これらの番組シーン情報をどうのように利用するかについてのイメージ図を示す。
ＥＰＧ画面７０１において、ｃｈ３１の２０：００からの歌番組Ａについて、番組シーンの表示を選択すると、放送波に重畳されているアプリが起動し、歌番組Ａの視聴シーン選択アプリ画面７０２が表示される。これのＧＵＩ画面は、イメージであるため、これらのアプリを実装するときは、自由に実装してよい。
歌番組Ａの視聴シーン選択アプリ画面７０２では、番組シーンを端的に表現するキーワードの表示と、視聴するかどうかを決定する選択ボタンと、通知の方法として、番組の開始の何分前、番組シーンの関始の何分前に通知を行うかを決定する通知方法決定ボタンがある。
図７においては、番組を指定することで、その番組に連動するアプリを起動し、所望の番組シーンについて登録を行ったが、図１８に示す例では、キーワードについて、視聴者が任意に入力し、そのキーワードにマッチする番組シーン情報について、番組シーン視聴通知登録を行う方法もあることを示している。
【００３２】
次に、前記のように番組シーン情報とこれを解析するアプリを放送波に含むデジタル放送における上記構成からなるデジタル放送受信装置において、本発明に関わる動作を図８〜図１２のフローチャートに基づいて説明する。
図８は、デジタル放送受信装置１００の番組シーン情報記憶部１０６に保存されているシーン特定情報を視聴者が登録する第一ステップであるキーワード登録までのフローチャートである。
まず、見逃したくない番組のシーンを登録するには、その情報を番組表などの一部として表示したりするのだが、キーワード表示部２０６が、指定されたチャンネルや指定された時間について、番組シーン情報が存在するかをシーン特定キーワード取得部２１４より確認する（Ｓ８０２）。
指定された時間やチャンネルなどの条件において、番組シーン情報が存在する場合、シーン特定キーワード取得部２１３より、該キーワードを抽出する。この際、関連する番組についての全ての番組シーン情報についてのキーワードを取得する（Ｓ８０３）。
抽出されたキーワードについて、キーワード表示部２０６より、ＧＵＩを用いて表示する（Ｓ８０４）。
【００３３】
こうした処理の結果、例えば、歌番組Ａの視聴シーン選択画面７０２（図７）が表示される。
ＧＵＩ表示されているキーワード情報を元に、視聴者が見逃したくないと思う番組のシーンのキーワードを、リモコンなどからの入力によりカーソルなどを移動し、決定ボタンを押すことで選択する（Ｓ８０５）。
歌番組Ａの視聴シーン選択画面７０２において、色が濃くなっているボタンが選択、決定されていることを示す。
決定されたキーワードについて、キーワード登録部２０７により、アプリ内部に用意したキーワード記憶リストについて保存する（Ｓ８０６）。
キーワード記憶リストには、キーワードに関する番組シーンＩＤを記憶させておけばよい。（図６）
他のキーワードについて登録するか確認する。他のキーワードについて登録する場合は、手順Ｓ８０５に戻る（Ｓ８０７）。
他のキーワードについて登録の必要がない場合は、番組開始時間モニタ登録処理Ｓ９０１が行われる。
【００３４】
図９では、番組開始時間モニタ登録処理について示す。
キーワード登録部２０７により、アプリ内部に保存されている番組シーンＩＤから、番組ＩＤを求め、番組ＩＤをもとに、ＥＰＧデータからその番組の開始時間を取得する（Ｓ９０２）。
この時間を元に、番組開始時間モニタタイマを登録する（Ｓ９０３）。図１３にその番組開始時間モニタタイマ登録リスト１３１１を示す。本例では、番組開始の通知は、直前に設定されているため（図７）、起動時間は、２０：００となっている。
番組開始時間モニタタイマの登録を終了すると、番組シーン開始時間モニタ登録処理を行う（Ｓ１００１）。
【００３５】
図１０では、番組シーン開始時間モニタ登録処理について示す。
キーワード登録部２０７によりアプリ内部に保存されている番組シーンＩＤから、番組ＩＤを求め、番組ＩＤをもとに、ＥＰＧデータからその番組の開始時間を取得する（Ｓ１００２）。
番組の開始時間と番組シーン情報の相対時間から、実際にタイマを起動する実時間を算出する（Ｓ１００３）。
算出した実時間にて、番組シーンの開始時間を通知するタイマを登録する（Ｓ１００４）。
登録するべき番組シーン開始時間モニタがないかを調べて、あれば、Ｓ１００２手順に戻り、なければ、登録処理を終了する（Ｓ１００５）。
【００３６】
図１１では、登録された番組開始時間モニタの起動処理についての処理を述べる。
はじめに番組開始時間通知タイマの起動時間であるかを判断する。これは、登録時に実時間で登録している（図１３の番組開始時間モニタタイマ登録リスト１３１１）（Ｓ１１０２）。
起動時間になっていた場合、はじめに、番組開始時刻に変更がないかをＥＰＧデータからチェックする。変更がない場合は、そのまま、登録されているタイマをタイマ起動部２１２より起動する（Ｓ１１０４）。
一方、前の番組が野球中継などで、番組の開始時間が変更されている場合、変更された時間情報についてＥＰＧデータから取得する（Ｓ１１０５）。
変更された番組開始時間に対して、番組開始時間モニタタイマと番組シーン開始時間モニタタイマの登録を変更し、登録し直す（Ｓ１１０６）（図１４参照）。
変更された番組開始時間を通知するため、番組の開始が延長されたメッセージを渡して、通知タイマを起動する（Ｓ１１０７）。
表示データ作成部にて、例えば、番組が開始された場合は、「広島太郎のトークシーンを含む歌番組Ａが開始しました」であるとか、番組の開始時間が延長された場合は、「広島太郎のトークシーンを含む歌番組Ａの開始時間が変更になりました」などを作成する（Ｓ１１０８）。
それぞれ、作成されたメッセージをＴＶ画面に表示し、視聴者に番組シーン視聴と登録されている番組の開始を通知する（Ｓ１１０９）。
【００３７】
図１２に番組シーン開始時間通知タイマ起動処理について示す。
はじめに番組シーン開始時間通知タイマの起動時間であるかを判断する。これは、登録時に実時間で登録している。
起動時間になっていた場合、タイマ起動部２１２より通知タイマを起動する（Ｓ１２０３）。
表示データ作成部と番組シーン開始時間モニタタイマ登録リスト１３１２より、例えば、図１９に示すように、『「広島太郎のトーク」シーンの１０分前です。』という表示メッセージを作成し、ＴＶ画面に表示する（Ｓ１２０４，Ｓ１２０５）。
【００３８】
（本発明による実施の形態２）
本発明による実施の形態２では、野球中継などの生放送番組における所望の番組シーンの通知方法についてである。
図１５は、実施の形態２におけるデジタル放送受信装置について示している。基本的に、図１と同様であるが、リアルタイムに別番組をモニタする必要があるため、２つのチューナーとＴＳデコード部を持つ構成となっている。
図１６に、野球中継における番組シーン情報について、示している。野球中継などでは、番組シーンの開始時間が予めわからないため、番組開始からの相対時間の項目は、必要なく、番組ＩＤと所望の番組シーンを端的にあらわすキーワードのみで構成される。
図１７に、野球中継などの生放送番組において、どのように番組シーン情報を送信するかを示す。
まず、図１６の番組シーン情報について、図７のような選択画面にて、「広島チームの攻撃回」のシーンと「人気一太郎の打席」のシーンを視聴するように登録しているとする。
野球中継の場合、上記シーンの前に、「東京チームの攻撃回の終了」、「人気一太郎の前の選手の打席開始、終了」などのイベントが発生する。そのため、これらを所望の番組シーンである広島チームの攻撃回が始まる前に放送することで、広島チームの攻撃回の番組シーンが始まることを前もって、通知・表示することができる。
【００３９】
（本発明による実施の形態３）
本発明による実施の形態１乃至２では、番組シーン情報をＴＳに付加することで、視聴者の所望する番組シーンを視聴しやすくした。しかしながら、このような方法では、放送局のＣＭ収入のビジネスモデルに異常をきたすことになる。このため、番組シーン通知を受けた視聴者が、それに従って、所望の番組シーンを見た場合は、それを判断するチャンネル切替モニタ部を追加することで、ＣＭ表示用アプリを起動するようにしてもよい。
【産業上の利用可能性】
【００４０】
本発明にかかるデジタル放送受信装置、デジタル放送送信装置、デジタル放送受信方法、及びデジタル放送受信方法を実行するプログラムは、視聴者が設定したシーンを見逃すことなく、知らせてくれるサービスを提供するデジタル放送受信装置に適用できる。
【図面の簡単な説明】
【００４１】
【図１】本発明の実施の形態１における機能ブロック図。
【図２】本発明の実施の形態１におけるアプリの機能ブロック図。
【図３】番組シーン情報がＬＩＴに含まれるときの番組配列情報の構成図。
【図４】番組シーン情報がＥＩＴに含まれるときの番組配列情報の構成図。
【図５】番組シーン情報と番組シーンの相関図。
【図６】番組シーン情報の登録テーブルを示す図。
【図７】本発明の実施の形態１における番組シーンを選択するＧＵＩのイメージ図。
【図８】番組シーンに関するキーワード登録のフローチャート。
【図９】番組開始時間をモニタするタイマの登録フローチャート。
【図１０】番組シーン開始時間をモニタするタイマの登録フローチャート。
【図１１】番組開始時間をモニタするタイマの起動フローチャート。
【図１２】番組シーン開始時間をモニタするタイマの起動フローチャート。
【図１３】本発明の実施の形態１におけるタイマ登録リストの図。
【図１４】本発明の実施の形態１におけるタイマ登録リストにおいて、番組開始時間が変更された場合のイメージ図。
【図１５】本発明の実施の形態２における機能ブロック図。
【図１６】本発明の実施の形態２における番組シーン情報がＥＩＴに含まれるときの番組配列情報の構成図。
【図１７】本発明の実施の形態２における番組シーン情報と番組シーンの相関図。
【図１８】本発明の実施の形態１におけるキーワード入力による番組シーンを選択するＧＵＩのイメージ図
【図１９】本発明の実施の形態１におけるシーン通知のイメージ図。
【符号の説明】
【００４２】
１００          デジタル放送受信装置
１０１          チューナー
１０２          ＴＳデコード部
１０３          ＡＶデコード部
１０４          Ｓｅｃｔｉｏｎ解析部
１０５          アプリデータ記憶部
１０６          番組シーン情報記憶部
１０７          アプリ表示部
１０８          操作受付部
１０９          Ａｐｐ１
１１０          アプリ起動部
１１１          アプリ実行環境
１１２          キーワード選択部
１１３          番組シーン情報参照部
１１４          モニタ部
１１５          通知部
１１６          タイマリスト
【図１】
2005323090.tif 000003
【図２】
2005323090.tif 000004
【図３】
2005323090.tif 000005
【図４】
2005323090.tif 000006
【図５】
2005323090.tif 000007
【図６】
2005323090.tif 000008
【図７】
2005323090.tif 000009
【図８】
2005323090.tif 000010
【図９】
2005323090.tif 000011
【図１０】
2005323090.tif 000012
【図１１】
2005323090.tif 000013
【図１２】
2005323090.tif 000014
【図１３】
2005323090.tif 000015
【図１４】
2005323090.tif 000016
【図１５】
2005323090.tif 000017
【図１６】
2005323090.tif 000018
【図１７】
2005323090.tif 000019
【図１８】
2005323090.tif 000020
【図１９】
2005323090.tif 000021